(57)【要約】【課題】画像投射の中断を抑制できるプロジェクターを提供すること。【解決手段】照明装置３１と、照明装置３１から出射された光を変調する光変調装置３４と、光変調装置３４により変調された光を投射する投射光学装置３５と、照明装置３１の点灯を制御する制御装置７と、を備え、照明装置３１は、それぞれ光を出射する発光管を有する複数の光源装置３２（３２Ａ〜３２Ｄ）を備え、制御装置７は、複数の光源装置３２（３２Ａ〜３２Ｄ）が有する発光管のそれぞれの点灯状態を個別に制御する。【選択図】図２
2016167015.tif 000002
【特許請求の範囲】
【請求項１】
照明装置と、
前記照明装置から出射された光を変調する光変調装置と、
前記光変調装置により変調された光を投射する投射光学装置と、
前記照明装置の点灯を制御する制御装置と、を備え、
前記照明装置は、それぞれ光を出射する発光管を有する複数の光源装置を備え、
前記制御装置は、前記複数の光源装置が有する前記発光管のそれぞれの点灯状態を個別に制御することを特徴とするプロジェクター。
【請求項２】
請求項１に記載のプロジェクターにおいて、
前記制御装置は、
前記複数の光源装置のうち少なくとも１つの光源装置の点灯モードを、第１の寿命モードでの点灯時より前記発光管の寿命が長くなる第２の寿命モードに設定し、他の光源装置の点灯モードを、前記第１の寿命モードに設定する点灯モード設定部と、
前記点灯モード設定部により設定された前記点灯モードに応じて、前記複数の光源装置が有する前記発光管のそれぞれの点灯状態を制御する動作制御部と、を有することを特徴とするプロジェクター。
【請求項３】
請求項２に記載のプロジェクターにおいて、
前記複数の光源装置のそれぞれに応じて設けられ、設定された前記点灯モードに応じて、前記複数の光源装置のうち対応する光源装置を点灯させる複数の点灯回路を有し、
前記複数の点灯回路は、前記対応する光源装置の点灯モードが前記第２の寿命モードである場合には当該光源装置が有する前記発光管を低輝度点灯させ、前記対応する光源装置の点灯モードが前記第１の寿命モードである場合には当該光源装置が有する前記発光管を高輝度点灯させることを特徴とするプロジェクター。
【請求項４】
請求項３に記載のプロジェクターにおいて、
前記複数の点灯回路は、前記点灯モードに応じて、対応する前記発光管に供給する電力を変更することを特徴とするプロジェクター。
【請求項５】
請求項３又は請求項４に記載のプロジェクターにおいて、
前記制御装置は、前記複数の光源装置が有する前記発光管の残寿命時間を算出する残寿命算出部を有し、
前記点灯モード設定部は、前記残寿命時間が所定時間以下となった場合に、前記少なくとも１つの光源装置の点灯モードを前記第２の寿命モードに設定することを特徴とするプロジェクター。
【請求項６】
請求項２から請求項５のいずれか一項に記載のプロジェクターにおいて、
外装を構成する外装筐体と、
前記外装筐体の姿勢を検出する姿勢検出装置と、を備え、
前記複数の光源装置のそれぞれは、
前記発光管と、
前記発光管から入射される光を反射させる凹曲面状の反射面を有する反射鏡と、を備え、
前記発光管は、
光を出射する発光部と、
前記発光部の一端から延出し、前記反射鏡が固定される封止部と、を有し、
前記制御装置は、前記姿勢検出装置による検出結果に基づいて、前記複数の光源装置のうち少なくとも１つの光源装置からの光の出射方向が鉛直方向下向きとなるように配置される姿勢となるように前記外装筐体が配置されたか否かを判定する姿勢判定部を有し、
前記点灯モード設定部は、前記少なくとも１つの光源装置の点灯モードを前記第２の寿命モードに設定する際に、前記姿勢判定部によって前記外装筐体が前記姿勢となるように配置されたと判定されると、前記複数の光源装置のうち、前記光の出射方向が鉛直方向下向きとなる光源装置の点灯モードを優先的に前記第２の寿命モードにすることを特徴とするプロジェクター。
【発明の詳細な説明】
【技術分野】
【０００１】
本発明は、プロジェクターに関する。
【背景技術】
【０００２】
従来、光源から出射された光を変調して画像情報に応じた画像を形成し、当該画像をスクリーン等の被投射面上に拡大投射するプロジェクターが知られている。
近年、プロジェクターの用途が多様化しており、投射画像の高輝度化の要望が高まってきている。これに対し、複数の光源装置を備えたプロジェクターが提案されている（例えば、特許文献１参照）。
この特許文献１に記載のプロジェクターは、超高圧水銀ランプ等の光源をそれぞれ有する２つの光源装置と、これら光源装置から入射される光を反射させる反射体と、を有する。そして、当該反射体により反射された光は、各種光学部品を介して液晶パネルによって変調され、投射レンズによって投射される。
【先行技術文献】
【特許文献】
【０００３】
【特許文献１】特開２０１０−１９９５４号公報
【発明の概要】
【発明が解決しようとする課題】
【０００４】
ところで、上記特許文献１に記載のプロジェクターのように、複数の光源装置を備えたプロジェクターでは、各光源装置は、ほぼ同じ輝度（出力）となるように点灯される。例えば、光源装置を高輝度点灯させる場合には、当該光源装置が有する全ての光源ランプ（発光管）が高輝度点灯され、光源装置を低輝度点灯させる場合には、全ての光源ランプが低輝度点灯される。このように、プロジェクターが有する全ての光源ランプが同じ点灯状態になると、各光源ランプが同種のものである場合には、当該各光源ランプが略同時期に寿命を迎え、画像投射を行うことができなくなるという問題がある。
特に、このようなプロジェクターが、大規模なプレゼンテーションや、プロジェクションマッピング等に用いられている場合には、これらの場面におけるプロジェクターの利用が中断されてしまい、使用者に大きな損害を生じさせることがある。
【０００５】
本発明は、上記課題の少なくとも一部を解決することを目的としたものであり、画像投射を継続できるプロジェクターを提供することを目的の１つとする。
【課題を解決するための手段】
【０００６】
本発明の一態様に係るプロジェクターは、照明装置と、前記照明装置から出射された光を変調する光変調装置と、前記光変調装置により変調された光を投射する投射光学装置と、前記照明装置の点灯を制御する制御装置と、を備え、前記照明装置は、それぞれ光を出射する発光管を有する複数の光源装置を備え、前記制御装置は、前記複数の光源装置が有する前記発光管のそれぞれの点灯状態を個別に制御することを特徴とする。
【０００７】
上記一態様によれば、少なくとも１つの発光管の寿命が他の発光管の寿命より延びるように、各光源装置の発光管を点灯させることができ、ひいては、各発光管が寿命を迎える時期をずらすことができる。従って、各発光管が同時に寿命を迎えて消灯されることを抑制でき、ある１つの発光管が寿命を迎えた場合でも、他の発光管から出射される光によって画像投射を継続できる。
また、このように各発光管の点灯状態を個別に制御できるので、当該各発光管からの出射光量を調整でき、ひいては、各光源装置が同じ点灯状態で点灯される場合に比べて、光変調装置に照射される光量を細かく調整できる。従って、投射される画像の輝度を細かく調整できる。
【０００８】
上記一態様では、前記制御装置は、前記複数の光源装置のうち少なくとも１つの光源装置の点灯モードを、第１の寿命モードでの点灯時より前記発光管の寿命が長くなる第２の寿命モードに設定し、他の光源装置の点灯モードを、前記第１の寿命モードに設定する点灯モード設定部と、前記点灯モード設定部により設定された前記点灯モードに応じて、前記複数の光源装置が有する前記発光管のそれぞれの点灯状態を制御する動作制御部と、を有することが好ましい。
上記一態様によれば、点灯モード設定部によって設定された点灯モードに応じて、動作制御部が、複数の光源装置の各発光管の点灯状態を制御する。そして、当該点灯モード設定部は、少なくとも１つの光源装置の点灯モードを上記第２の寿命モードに設定し、他の光源装置の点灯モードを上記第１の寿命モードに設定する。これによれば、当該少なくとも１つの光源装置が有する発光管の寿命が、他の光源装置が有する発光管の寿命より延びるように、各発光管の点灯状態を制御できる。従って、各発光管が同時に寿命を迎えることを抑制でき、画像投射を継続できる。
【０００９】
上記一態様では、前記複数の光源装置のそれぞれに応じて設けられ、設定された前記点灯モードに応じて、前記複数の光源装置のうち対応する光源装置を点灯させる複数の点灯回路を有し、前記複数の点灯回路は、前記対応する光源装置の点灯モードが前記第２の寿命モードである場合には当該光源装置が有する前記発光管を低輝度点灯させ、前記対応する光源装置の点灯モードが前記第１の寿命モードである場合には当該光源装置が有する前記発光管を高輝度点灯させることが好ましい。
ここで、発光管の寿命は、当該発光管が高輝度点灯される場合に比べて、低輝度点灯される場合の方が延びる傾向にある。
これに対し、上記一態様では、点灯回路により、点灯モードが上記第２の寿命モードである光源装置の発光管は低輝度で点灯され、点灯モードが上記第１の寿命モードである光源装置の発光管は高輝度で点灯される。これによれば、第２の寿命モードで点灯される光源装置の発光管の寿命を、第１の寿命モードで点灯される光源装置の発光管の寿命より確実に延ばすことができる。従って、各発光管が同時に寿命を迎えることを確実に抑制でき、画像投射を確実に継続できる。また、点灯回路が、各光源装置に応じて設けられていることにより、当該各光源装置が有する発光管のそれぞれの点灯状態を、確実に個別に制御できる。
【００１０】
上記一態様では、前記複数の点灯回路は、前記点灯モードに応じて、対応する前記発光管に供給する電力を変更することが好ましい。
ここで、発光管に印加される電圧は、当該発光管の劣化状態に応じて変化する。このため、発光管への印加電圧を変更して発光管の点灯状態を上記点灯モードに応じた点灯状態とすることは難しい。
これに対し、上記一態様では、発光管に供給される電力（電流）を変更することにより、発光管を高輝度点灯させる場合と低輝度点灯させる場合とで切り替えることができ、点灯モードに応じて発光管の点灯状態を制御できる。従って、各発光管が同時に寿命を迎えることをより確実に抑制でき、画像投射をより確実に継続できる。
【００１１】
上記一態様では、前記制御装置は、前記複数の光源装置が有する前記発光管の残寿命時間を算出する残寿命算出部を有し、前記点灯モード設定部は、前記残寿命時間が所定時間以下となった場合に、前記少なくとも１つの光源装置の点灯モードを前記第２の寿命モードに設定することが好ましい。
上記一態様によれば、発光管の残寿命時間が所定時間以下となった場合に、複数の光源装置のうち少なくとも１つの光源装置の点灯モードが上記第２の寿命モードに設定される。これによれば、残寿命時間が所定時間以下になるまでは、各光源装置の点灯モードを上記第１の寿命モードとして、当該各光源装置の発光管を高輝度点灯させることができる。従って、当該各光源装置を有する照明装置から高い光量を出射できるので、高輝度な画像を投射できる。
【００１２】
上記一態様では、外装を構成する外装筐体と、前記外装筐体の姿勢を検出する姿勢検出装置と、を備え、前記複数の光源装置のそれぞれは、前記発光管と、前記発光管から入射される光を反射させる凹曲面状の反射面を有する反射鏡と、を備え、前記発光管は、光を出射する発光部と、前記発光部の一端から延出し、前記反射鏡が固定される封止部と、を有し、前記制御装置は、前記姿勢検出装置による検出結果に基づいて、前記複数の光源装置のうち少なくとも１つの光源装置からの光の出射方向が鉛直方向下向きとなるように配置される姿勢となるように前記外装筐体が配置されたか否かを判定する姿勢判定部を有し、前記点灯モード設定部は、前記少なくとも１つの光源装置の点灯モードを前記第２の寿命モードに設定する際に、前記姿勢判定部によって前記外装筐体が前記姿勢となるように配置されたと判定されると、前記複数の光源装置のうち、前記光の出射方向が鉛直方向下向きとなる光源装置の点灯モードを優先的に前記第２の寿命モードにすることが好ましい。
【００１３】
ここで、光の出射方向が鉛直方向下向きとなる光源装置では、発光管の封止部に固定される反射鏡は、鉛直方向下側を向くように配置される。この場合、発光管において最も温度が高くなる発光部にて生じた熱は、当該発光部の少なくとも一部を覆う反射鏡内に留まりやすくなる。このような状態では、発光部が冷却されにくくなり、当該発光部の劣化（発光部内に配置される電極の劣化等）が進みやすくなり、発光管の寿命が短くなる。
これに対し、上記一態様によれば、姿勢判定部によって、少なくとも１つの光源装置からの光の出射方向が鉛直方向下向きとなる姿勢となるように外装筐体が配置されたと判定された場合、点灯モード設定部は、当該光の出射方向が鉛直方向下向きとなる光源装置の点灯モードを優先的に上記第２の寿命モードに設定する。これによれば、劣化が生じやすい配置状態の発光管を有する光源装置の点灯モードが第２の寿命モードに設定されることにより、発光部の温度上昇を抑制でき、当該光源装置の劣化を抑制できる。従って、光源装置の寿命が想定より短縮されることを抑制できる。
【図面の簡単な説明】
【００１４】
【図１】本発明の一実施態様に係るプロジェクターを示す概要斜視図。
【図２】上記実施形態におけるプロジェクターの内部構成を示すブロック図。
【図３】上記実施形態における光源装置の構成を示す図。
【図４】上記実施形態における光源装置の配置を示す図。
【図５】上記実施形態における制御装置の構成を示すブロック図。
【図６】上記実施形態における点灯制御処理を示すフローチャート。
【図７】上記実施形態における点灯モードの切替タイミングと残寿命時間の推移とを示す図。
【発明を実施するための形態】
【００１５】
以下、本発明の一実施形態について、図面に基づいて説明する。
［プロジェクターの概略構成］
図１は、本実施形態に係るプロジェクター１を示す概要斜視図である。
本実施形態に係るプロジェクター１は、照明装置から出射された光を変調して画像情報に応じた画像を形成し、当該画像をスクリーン等の被投射面上に拡大投射する。
このプロジェクター１は、詳しくは後述するが、複数の光源装置のそれぞれが有する発光管の累積点灯時間や残寿命時間に応じて、各光源装置の点灯状態を個別に制御して、当該各光源装置が同時に寿命を迎えることを抑制する機能を有する。このようなプロジェクター１は、図１に示すように、外装を構成する外装筐体２を備える。
【００１６】
外装筐体２は、天面部２１、底面部２２、正面部２３、背面部２４及び左右の側面部２５，２６を有する略直方体形状に形成されている。
これらのうち、天面部２１には、使用者がプロジェクター１を把持したり、天井等に設置された器具にプロジェクター１を固定する際に利用される一対の把手２１１が設けられている。また、天面部２１には、後述する光源装置３２（３２Ａ〜３２Ｄ）を外装筐体２内に交換可能に収納するための開口部（図示省略）が形成され、当該開口部は、カバー部材２１２によって覆われている。
底面部２２には、図示を省略するが、設置台等の設置面上に載置される際に、当該設置面と接触する脚部が設けられている。
正面部２３には、後述する画像形成装置３を構成する投射光学装置３５の一部が露出する開口部２３１が形成されている。
なお、以下の説明では、投射光学装置３５から出射される光の中心軸に沿い、かつ、当該光の進行方向に沿う方向をＺ方向とする。また、当該Ｚ方向にそれぞれ直交し、かつ、互いに直交する２方向のうち、底面部２２から天面部２１に向かう方向をＹ方向とし、左側面部２５から右側面部２６に向かう方向をＸ方向とする。例えば、底面部２２が水平面に沿うようにプロジェクター１が配置された場合には、Ｘ方向及びＺ方向はそれぞれ水平方向に沿い、Ｙ方向は鉛直方向における上方向に沿うこととなる。
【００１７】
［プロジェクターの内部構成］
図２は、本実施形態に係るプロジェクター１の内部構成を示すブロック図である。
プロジェクター１は、上記外装筐体２の他、図２に示すように、当該外装筐体２内に収納される画像形成装置３、点灯装置４及び制御装置７と、外装筐体２に設けられる入力装置５及び姿勢検出装置６と、を備える。
【００１８】
［画像形成装置の構成］
画像形成装置３は、後述する制御装置７による制御の下、当該制御装置７から入力される画像情報（画像信号を含む）に応じた画像を形成及び投射する。このような画像形成装置３は、照明装置３１、光変調装置３４及び投射光学装置３５を有する。この他、図示を省略するが、画像形成装置３は、照明装置３１から出射された光の中心軸に直交する面内の照度分布（輝度分布）を均一化する均一化装置と、入射される光の偏光方向を揃える偏光変換装置と、当該照度分布が均一化された光から赤、緑及び青の色光を分離する色分離装置と、色合成装置と、を有する。
【００１９】
これらのうち、光変調装置３４は、上記均一化装置、偏光変換装置及び色分離装置を介して照明装置３１から入射される光を変調して、上記画像情報に応じた画像を形成する。本実施形態では、光変調装置３４は、上記色分離装置にて分離された各色光に応じて設けられ、当該各色光の画像を形成する。これら画像は、ダイクロイックプリズム等により構成される色合成装置により合成される。このような光変調装置３４としては、透過型及び反射型の液晶パネルを例示できる他、マイクロミラーを用いたデバイス、例えば、ＤＭＤ（Digital Micromirror Device）等の液晶以外の光変調装置を採用できる。
投射光学装置３５は、光変調装置３４により形成されて色合成装置により合成された画像を上記被投射面上に拡大投射する。この投射光学装置３５としては、図示を省略するが、鏡筒と、当該鏡筒内に収納配置される複数のレンズを有する組レンズを例示できる。
【００２０】
［光源装置の構成］
図３は、光源装置３２の構成を示す図である。
照明装置３１は、複数の光源装置３２と、当該各光源装置から出射された光を合成する光合成装置３３（図４参照）と、を備える。本実施形態では、照明装置３１は、４つの光源装置３２（３２Ａ〜３２Ｄ）を備える。
各光源装置３２は、図３に示すように、光を出射する光源ランプ３２１、主反射鏡３２４及び平行化凹レンズ３２５と、これらを収納配置する収納体３２６と、を備える。
【００２１】
光源ランプ３２１は、発光管３２２及び副反射鏡３２３を有する。
発光管３２２は、後述する点灯装置４の点灯回路４１から供給されるランプ電力によって発光する略球形状の発光部３２２１と、発光部３２２１の両端から互いに反対方向に延出する一対の封止部３２２２，３２２３と、を有する。
一対の封止部３２２２，３２２３内には、図示を省略するが、発光部３２２１内の電極とそれぞれ電気的に接続される金属箔及びリード線が配置されている。これらのうち、発光部３２２１より光源装置３２からの光の出射方向側に位置する封止部３２２３には、発光部３２２１における当該出射方向側を覆って、入射される光を反射させる副反射鏡３２３が設けられている。また、当該封止部３２２３とは発光部３２２１を挟んで反対側に位置する封止部３２２２には、主反射鏡３２４が設けられている。
このような発光管３２２は、各光源装置３２において同一種別の発光管である。すなわち、各光源装置３２が有する発光管３２２は、それぞれ、同じランプ電力が供給された場合に略同じ輝度にて点灯し、略同じ寿命時間を有する発光管である。
なお、各光源装置３２は、上記外装筐体２内に交換可能に設けられており、外装筐体２に設けられたカバー部材２１２（図１参照）を取り外して光源収納部（図示省略）を露出させることにより、当該光源収納部内に各光源装置３２を個別に交換できる。
【００２２】
主反射鏡３２４は、入射される光を反射させて収束させる凹曲面状の反射面３２４１を有する反射鏡であり、上記発光部３２２１は、主反射鏡３２４内に位置する。なお、本実施形態では、主反射鏡３２４は、回転楕円面を有する楕円面リフレクターにより構成されているが、回転放物面を有する放物面リフレクターにより構成してもよく、自由曲面リフレクターにより構成してもよい。
平行化凹レンズ３２５は、主反射鏡３２４により収束される光束を平行化する。
【００２３】
収納体３２６は、光源ランプ３２１及び主反射鏡３２４を内部に収納し、平行化凹レンズ３２５を支持する収納体本体３２６１と、ダクト３２６２と、を有する。
これらのうち、ダクト３２６２は、図示を省略するが、収納体本体３２６１に取り付けられて、当該収納体本体３２６１の外面と、当該ダクト３２６２の内面とにより、収納体３２６外から導入された空気を流通させて、収納体本体３２６１内の発光管３２２に導くダクト部を形成する。
このような構成を有する各光源装置３２の発光管３２２には、点灯装置４において対応する点灯回路４１からランプ電力が供給され、これにより、各光源装置３２から光が出射される。
【００２４】
［光源装置の配置］
図４は、プロジェクター１における上記光源装置３２の配置を示す図である。
ここで、光源装置３２Ａ〜３２Ｄは、互いに対向する一対の光源装置３２の組に分けられる。例えば、図４に示すように、光源装置３２Ａと光源装置３２Ｂとは、光合成装置３３を挟んで互いに向き合って配置され、図示を省略するが、光源装置３２Ｃと光源装置３２Ｄとは、光合成装置３３を挟んで互いに向き合って配置される。
換言すると、光源装置３２Ａによる光の出射方向と、光源装置３２Ｂによる光の出射方向とは、互いに反対方向となり、光源装置３２Ｃによる光の出射方向と、光源装置３２Ｄによる光の出射方向とは、互いに反対方向となる。なお、本実施形態では、光源装置３２Ａ，３２Ｃは、光の出射方向がＸ方向とは反対方向に沿うように配置され、光源装置３２Ｂ，３２Ｄは、光の出射方向がＸ方向に沿うように配置される。
【００２５】
このように光源装置３２が配置されたプロジェクター１が、上記天面部２１及び底面部２２が水平面に沿う横置き姿勢に設置された場合には、光源装置３２Ａ，３２Ｃによる光の出射方向は、水平方向における一方向となり、光源装置３２Ｂ，３２Ｄによる光の出射方向は、水平方向における当該一方向とは反対方向となる。この場合、各光源装置３２が有する主反射鏡３２４の開口方向は、水平方向における一方向側又は当該一方向とは反対側となるので、主反射鏡３２４の内側に位置する発光部３２２１にて生じる熱は、当該主反射鏡３２４の内側から排出されやすい。
【００２６】
一方、プロジェクター１が、上記左側面部２５及び右側面部２６が水平面に沿う縦置き姿勢に設置された場合には、光源装置３２Ａ，３２Ｃによる光の出射方向は、鉛直方向における一方向となり、光源装置３２Ｂ，３２Ｄによる光の出射方向は、鉛直方向における当該一方向とは反対方向となる。この場合、各光源装置３２が有する主反射鏡３２４の開口方向は、鉛直方向における一方向側又は当該一方向とは反対側となる。このため、鉛直方向において下側に位置する光源装置３２では、主反射鏡３２４の開口方向は上側を向くことから、当該主反射鏡３２４の内側に位置する発光部３２２１にて生じた熱を帯びた空気は、鉛直方向における上側に流通しやすくなり、主反射鏡３２４の内側から排出されやすくなる。しかしながら、鉛直方向において上側に位置する光源装置３２では、主反射鏡３２４の開口方向は下側を向くことから、当該主反射鏡３２４の内側に位置する発光部３２２１にて生じた熱を帯びた空気は、主反射鏡３２４の内側に籠りやすい。従って、このような縦置き姿勢にてプロジェクター１が設置された場合には、鉛直方向における上側の光源装置３２が有する発光管３２２（発光部３２２１）の温度が上昇しやすく、劣化が促進されやすい。
このようなプロジェクター１の姿勢は、後述する姿勢検出装置６により検出される。
【００２７】
［点灯装置の構成］
図２に戻り、点灯装置４は、各光源装置３２（３２Ａ〜３２Ｄ）の発光管３２２にランプ電力を供給して、当該発光管３２２を点灯させる装置である。この点灯装置４は、各光源装置３２に応じて設けられた複数の点灯回路４１（４１Ａ〜４１Ｄ）を有する。そして、点灯回路４１Ａ〜４１Ｄは、光源装置３２Ａ〜３２Ｄのうち、対応する光源装置３２に、それぞれ個別に上記ランプ電力を供給する。なお、このようなランプ電力として、点灯回路４１は、発光管３２２を高輝度点灯させて出射光量を多くする短寿命／高輝度モード用のランプ電力と、発光管３２２を低輝度点灯させて出射光量を少なくする長寿命／低輝度モード用のランプ電力とのいずれかを、対応する光源装置３２の発光管３２２に供給する。これらのうち、短寿命／高輝度モード用のランプ電力は、長寿命／低輝度モード用のランプ電力より高い。
このような点灯回路４１が供給するランプ電力は、後述する制御装置７によって光源装置３２毎に設定される点灯モードに応じて決定される。
なお、ここで言う短寿命／高輝度モード（第１の寿命モード）とは、上述の長寿命／低輝度モード（第２の寿命モード）で点灯させた場合に比べて寿命が短くなり、かつ、発光輝度が高くなるモードを意味しており、光源装置の想定寿命以下まで短縮しようとするモード（想定寿命より寿命を短くするモード）ではない。具体的に、短寿命／高輝度モードは、当該モードにて発光管３２２が点灯された場合に、累積点灯時間が想定寿命時間に達した頃に当該発光管３２２が寿命を迎える点灯モードであり、長寿命／低輝度モードは、当該モードにて発光管３２２が点灯された場合に、累積点灯時間が想定寿命時間より長い所定時間に達した頃に当該発光管３２２が寿命を迎える点灯モードである。このため、長寿命／低輝度モードは、短寿命／高輝度モードでの点灯時より発光管３２２の寿命が長くなる点灯モードである。
【００２８】
［入力装置及び姿勢検出装置の構成］
入力装置５は、使用者による入力操作を受け付け、当該入力操作に応じた操作信号を制御装置７に出力する。このような入力装置５は、図示を省略するが、外装筐体２の外面（例えば天面部２１）に配設される複数のボタンを有する操作パネルや、当該複数のボタンと同じ複数のボタンを有するリモートコントローラーを備えて構成される。
姿勢検出装置６は、加速度センサーやジャイロセンサーを備えて構成され、プロジェクター１（外装筐体２）の姿勢を検出し、検出結果を制御装置７に出力する。この姿勢検出装置６による検出結果に基づいて、制御装置７は、プロジェクター１の姿勢を判断する。
【００２９】
［制御装置の構成］
図５は、制御装置７の構成を示すブロック図である。
制御装置７は、ＣＰＵ（Central Processing Unit）等の処理装置や、フラッシュメモリー等の記憶装置を有し、使用者による入力操作に応じて入力される上記操作信号に基づいて、或いは、自律的にプロジェクター１の動作を制御する。この制御装置７は、例えば、外部から入力される画像情報を必要に応じてデコードし、当該画像情報に応じた画像信号（駆動信号）を上記光変調装置３４に出力して、上記画像形成装置３に当該画像情報に応じた画像を形成及び投射させる。また、制御装置７は、使用者により設定された動作モードに応じてプロジェクター１の動作を制御する。このプロジェクター１の動作には、上記光源装置３２を点灯させる点灯装置４の制御、すなわち、光源装置３２の点灯制御も含まれる。
このような制御装置７は、図５に示すように、上記記憶装置により構成される記憶部７１と、当該記憶部７１に記憶されたプログラムを上記処理装置が処理することにより実現される点灯時間計時部７２、動作モード設定部７３、残寿命算出部７４、時間判定部７５、時間更新部７６、姿勢判定部７７、点灯モード設定部７８、動作制御部７９及び報知部８０を有する。
【００３０】
記憶部７１は、プロジェクター１の動作に必要な各種プログラム及びデータを記憶している。例えば、記憶部７１は、上記各光源装置３２の点灯を制御する点灯制御プログラムを記憶している。また例えば、記憶部７１は、各光源装置３２の想定寿命時間を記憶している他、点灯時間計時部７２により計時される各光源装置３２の累積点灯時間を記憶する。なお、光源装置３２の想定寿命時間は、光源装置３２（発光管３２２）の種別毎に予め記憶されていてもよく、装着された光源装置３２から取得されて記憶されてもよい。
点灯時間計時部７２は、各光源装置３２の累積点灯時間を計時する。具体的に、点灯時間計時部７２は、記憶部７１に記憶されている各光源装置３２の累積点灯時間を、対応する光源装置３２が点灯されている間、カウントアップする。
【００３１】
動作モード設定部７３は、入力装置５から入力される操作信号に基づいて、プロジェクター１の動作モードを設定する。このような動作モードの設定操作は、被投射面上に表示されるＯＳＤ（On Screen Display）メニュー画面にて、使用者により実施される。
具体的に、動作モード設定部７３は、光源装置３２の全てを高輝度点灯させる輝度優先モードに設定する操作信号が入力された場合には、プロジェクター１の動作モードを輝度優先モードにする。また、動作モード設定部７３は、各光源装置３２の消費電力を抑える省電力モード（エコモード）に設定する操作信号が入力された場合には、プロジェクター１の動作モードを省電力モードにする。更に、動作モード設定部７３は、各光源装置３２の寿命を延長する寿命延長モードに設定する操作信号が入力された場合には、プロジェクター１の動作モードを寿命延長モードにする。
【００３２】
これらのうち、寿命延長モードは、各光源装置３２の発光管３２２が略同時に寿命を迎え、当該各光源装置３２がほぼ同時に点灯できなくなって、プレゼンテーション等でのプロジェクター１の使用ができなくなることを防ぐためのモードである。
この寿命延長モードが設定された場合、各光源装置３２は、残寿命時間が所定時間以下となるまでは高輝度点灯される。一方、残寿命時間が所定時間以下となった光源装置３２があると、当該光源装置３２を低輝度点灯させて、当該光源装置３２の寿命を延ばし、全ての光源装置３２が同時に寿命を迎えることを防ぐ。
このような寿命延長モードが設定された場合には、以下に示す残寿命算出部７４、時間判定部７５、時間更新部７６及び姿勢判定部７７が機能する。
【００３３】
残寿命算出部７４は、記憶部７１に記憶されている各光源装置３２の想定寿命時間及び累積点灯時間と、当該各光源装置３２の点灯状態の推移とに基づいて、当該各光源装置３２の残寿命時間を算出する。
ここで、発光管３２２の寿命時間は、当該発光管３２２に供給されるランプ電力によって変化する。例えば、発光管３２２が許容するランプ電力の範囲において、最大のランプ電力を発光管３２２に供給し続けた場合と、最小のランプ電力を発光管３２２に供給し続けた場合とでは、前者の方が発光管３２２からの出射光量は大きくなるが、後者の方が寿命時間は長くなる。すなわち、発光管３２２を高輝度点灯させた場合には、短寿命となり、低輝度点灯させた場合には、長寿命となる。
このため、残寿命算出部７４は、記憶部７１に記憶されている当該発光管３２２を有する光源装置３２の想定寿命時間及び累積点灯時間と、当該発光管３２２の点灯状態の推移とに基づいて、高輝度点灯させた場合の発光管３２２の残寿命時間（光源装置３２の残寿命時間）を算出する。
【００３４】
時間判定部７５は、残寿命算出部７４によって算出された残寿命時間が、所定時間である切替時間以下となったか否かを判定する。換言すると、時間判定部７５は、残寿命時間が切替時間以下となった光源装置３２が存在するか否かを判定する。このような切替時間は、適宜設定できるが、例えば、光源装置３２を高輝度点灯させた場合の想定寿命時間の所定割合の値とすることができる。なお、時間判定部７５により、残寿命時間が切替時間以下となったと判定され、後述する点灯モード設定部７８によって点灯モードが長寿命／低輝度モードに変更された光源装置３２については、時間判定部７５による判定処理の対象外となる。
【００３５】
時間更新部７６は、残寿命時間が上記切替時間以下となった光源装置３２が存在すると判定されると、上記切替時間を、現在の切替時間より小さい値とする。
本実施形態では、時間更新部７６は、切替時間が想定寿命時間の半分の時間であるときに、当該切替時間から、当該半分の時間を光源装置３２の数で除算した商を減算して得られる時間を、新たな切替時間とする。
例えば、発光管３２２の高輝度点灯させた場合の想定寿命時間が１００００時間である場合には、当初の切替時間（設定１回目の切替時間）は５０００時間とされる。そして、残寿命時間が当該切替時間に達した場合に、切替時間の更新が行われるが、更新後の切替時間（設定２回目の切替時間）には、光源装置３２が４つであるので、当初の切替時間で（５０００時間）を光源装置３２の台数である４で除算した商（１２５０時間）を、当初の切替時間（５０００時間）から減算して得られる値（３７５０時間）が設定される。同様に、更に更新後の切替時間（設定３回目の切替時間）には、３７５０時間から上記商（１２５０時間）を減算して得られる値（２５００時間）が設定され、次の更新後の切替時間（４回目の切替時間）には、当該３回目の切替時間から上記商を減算して得られる１２５０時間が設定される。
このような時間更新部７６による切替時間の更新は、プロジェクター１の動作モードが上記寿命延長モードに設定された際の全ての光源装置３２の残寿命時間が同じ場合に実行される。すなわち、当該切替時間の更新は、全ての光源装置３２が同じタイミングで装着され、同じ点灯状態で利用されている場合に実行される。一方、各光源装置３２の残寿命時間がそれぞれ異なる場合には、切替時間の更新処理は実行されず、当初の切替時間が維持される。
【００３６】
姿勢判定部７７は、上記姿勢検出装置６による検出結果に基づいて、プロジェクター１の姿勢を判定する。具体的に、姿勢判定部７７は、光源装置３２Ａ〜３２Ｄのうち、少なくとも１つの光源装置３２による光の出射方向が鉛直方向下向きとなる姿勢（例えば縦置き姿勢）となるようにプロジェクター１が設置されているか否かを判定する。
【００３７】
点灯モード設定部７８は、各光源装置３２の点灯モードを設定し、これにより、上記点灯回路４１によって対応する発光管３２２に供給されるランプ電力を設定する。
例えば、点灯モード設定部７８は、プロジェクター１の動作モードが輝度優先モードである場合には、光源装置３２Ａ〜３２Ｄの全ての点灯モードを短寿命／高輝度モードとし、当該動作モードが省電力モードである場合には、光源装置３２Ａ〜３２Ｄの全ての点灯モードを長寿命／低輝度モードとする。
【００３８】
また、点灯モード設定部７８は、プロジェクター１の動作モードが上記寿命延長モードである場合には、全ての光源装置３２Ａ〜３２Ｄの点灯モードを短寿命／高輝度モードとした後、時間判定部７５によって残寿命時間が上記切替時間以下となった光源装置３２がないと判定されている間は、各光源装置３２Ａ〜３２Ｄの点灯モードを維持する。
一方、上記時間判定部７５により、残寿命時間が上記切替時間以下となった光源装置３２が少なくとも１つ存在すると判定され、更に、上記姿勢判定部７７によりプロジェクター１の姿勢が縦置き姿勢でないと判定されると、点灯モード設定部７８は、残寿命時間が切替時間以下となった光源装置３２のうち、短寿命／高輝度モードに設定されている光源装置３２の中から少なくとも１つの点灯モードを長寿命／低輝度モードとする。
他方、上記時間判定部７５により、残寿命時間が切替時間以下となった光源装置３２が少なくとも１つ存在すると判定され、更に、点灯モード設定部７８は、上記姿勢判定部７７によりプロジェクター１の姿勢が縦置き姿勢であると判定されると、点灯モード設定部７８は、残寿命時間が切替時間以下となった光源装置３２のうち、短寿命／高輝度モードに設定されている光源装置３２の中から、光の出射方向が鉛直方向下向きとなる光源装置３２の少なくとも１つの点灯モードを長寿命／低輝度モードに優先的に切り替える。
【００３９】
このような点灯モード設定部７８による点灯モードの切替処理が、上記時間判定部７５によって、残寿命時間が切替時間以下となった光源装置３２が現れたと判定される毎に行われる。なお、上記のように、点灯モードが長寿命／低輝度モードに変更された光源装置３２は、時間判定部７５による判定処理の対象外となることから、切替時間が更新されて、残寿命時間が更新後の切替時間を上回ることになった場合でも、長寿命／低輝度モードに変更された光源装置３２の点灯モードが、短寿命／高輝度モードに変更されてしまうことはない。
【００４０】
動作制御部７９は、プロジェクター１の各種動作を制御する。例えば、動作制御部７９は、点灯モード設定部７８によって設定された点灯モードで光源装置３２が点灯するように、対応する上記点灯回路４１の動作を制御する。
具体的に、動作制御部７９は、ある光源装置３２の点灯モードが短寿命／高輝度モードである場合には、当該光源装置３２の発光管３２２にランプ電力を供給する点灯回路４１に、短寿命／高輝度モードに応じたランプ電力を供給させる。一方、動作制御部７９は、ある光源装置３２の点灯モードが長寿命／低輝度モードである場合には、対応する点灯回路に、長寿命／低輝度モードに応じたランプ電力（短寿命／高輝度モードに応じたランプ電力より低いランプ電力）を供給させる。
これにより、設定された点灯モードに応じて、光源装置３２（発光管３２２）が点灯される。
【００４１】
報知部８０は、プロジェクター１の使用者に各種情報を報知する。例えば、報知部８０は、上記光源装置３２Ａ〜３２Ｄの１つが寿命により消灯した場合や、寿命により消灯されていない光源装置３２が１つとなった場合に、光源装置３２を交換する必要がある旨のメッセージや音声を出力する。なお、光源装置３２の交換を促すメッセージは、どのようなタイミングで報知されてもよく、上記以外のタイミングで報知されてもよい。
【００４２】
［点灯制御処理］
図６は、上記制御装置７により実行される点灯制御処理を示すフローチャートである。
上記制御装置７を構成する演算処理装置は、記憶部７１に記憶された点灯制御プログラムを読み出して、以下に示す点灯制御処理を実行する。この点灯制御処理は、各光源装置３２Ａ〜３２Ｄの残寿命時間が全て同じで、プロジェクター１の動作モードが上記寿命延長モードに切り替えられたときに実行される。
この点灯制御処理では、図６に示すように、まず、残寿命算出部７４が、光源装置３２Ａ〜３２Ｄのそれぞれの残寿命時間を算出する（ステップＳ１）。
この後、時間判定部７５が、残寿命時間が上記切替時間以下となった光源装置３２が存在するか否かを判定する（ステップＳ２）。この時点では、時間判定部７５は、全ての光源装置３２（３２Ａ〜３２Ｄ）の残寿命時間を判定する。
このステップＳ２の判定処理にて、残寿命時間が上記切替時間以下となった光源装置３２はないと判定されると（ステップＳ２：ＮＯ）、点灯モード設定部７８は、光源装置３２Ａ〜３２Ｄの全ての点灯モードを短寿命／高輝度モードにする（ステップＳ３）。この後、制御装置７は、処理をステップＳ１に戻す。
【００４３】
一方、上記ステップＳ２の判定処理にて、残寿命時間が上記切替時間以下となった光源装置３２が存在すると判定されると（ステップＳ２：ＹＥＳ）、姿勢判定部７７が、姿勢検出装置６による検出結果に基づいて、プロジェクター１の姿勢が上記縦置き姿勢であるか否かを判定する（ステップＳ４）。
このステップＳ４の判定処理にて、縦置き姿勢であると判定されると（ステップＳ４：ＹＥＳ）、点灯モード設定部７８は、現在の点灯モードが短寿命／高輝度モードであり、かつ、鉛直方向上側に位置する光源装置３２（光の出射方向が鉛直方向下方となる光源装置３２）のうち、少なくとも１つの光源装置３２の点灯モードを優先的に長寿命／低輝度モードに設定する（ステップＳ５）。なお、他の光源装置３２の点灯モードは、そのまま維持される。
このようなステップＳ５の後、制御装置７は、処理をステップＳ７に移行する。
【００４４】
一方、上記ステップＳ４の判定処理にて、縦置き姿勢でないと判定されると（ステップＳ４：ＮＯ）、点灯モード設定部７８は、現在の点灯モードが短寿命／高輝度モードである光源装置３２のうち、少なくとも１つの点灯モードを長寿命／低輝度モードに切り替える（ステップＳ６）。この後、制御装置７は、処理をステップＳ７に以降する。
【００４５】
ステップＳ７では、時間更新部７６が、上記切替時間を更新する（ステップＳ７）。これにより、切替時間が更新前の切替時間より短い時間となる他、時間判定部７５の判定対象から、既に点灯モードが長寿命／低輝度モードに設定されている光源装置３２が外される。このため、点灯モードが長寿命／低輝度モードに切り替えられた光源装置３２は、上記ステップＳ１〜Ｓ７が繰り返し実行されても、点灯モードは長寿命／低輝度モードに維持される。
この後、制御装置７は、処理をステップＳ１に戻し、プロジェクター１の動作モードが寿命延長モードから変更されるまでは、上記処理が繰り返し実行される。
このような点灯制御処理において、動作制御部７９が、設定された点灯モードに応じたランプ電力が光源装置３２（発光管３２２）に供給されるように、各点灯回路４１を制御することにより、各点灯モードに応じて光源装置３２を点灯させることができる。
【００４６】
［点灯モードの切替タイミング］
図７は、各光源装置３２Ａ〜３２Ｄの残寿命時間に応じた点灯モードの切替タイミングの一例と残寿命時間の推移の一例とを示す図である。
上記点灯制御処理が実行されることにより、各光源装置３２の残寿命時間は、それぞれ異なる時間となることから、各光源装置３２が同時に寿命を迎えて消灯されることが抑制される。
具体的に、図７に示すように、各光源装置３２の残寿命時間が上記切替時間である時間Ｔ１以下となったタイミングＴｍ１にて、１つの光源装置３２の点灯モードが短寿命／高輝度モードから長寿命／低輝度モードに変更される。この際、プロジェクター１の姿勢が縦置き姿勢である場合には、光の出射方向が鉛直方向下方となる光源装置３２のうちの１つ（例えば光源装置３２Ａ）が、点灯モードが短寿命／高輝度モードから変更される光源装置３２として選択され、当該光源装置３２の点灯モードが長寿命／低輝度モードに切り替えられる。そして、対応する点灯回路４１から、長寿命／低輝度モードに応じたランプ電力が当該光源装置３２に供給される他、上記切替時間が時間Ｔ１から時間Ｔ２に更新される。
【００４７】
これにより、短寿命／高輝度モードの場合に供給されるランプ電力より低いランプ電力が当該光源装置３２に供給されるので、当該光源装置３２の残寿命時間の減少率を、他の光源装置３２（点灯モードが短寿命／高輝度モードである光源装置３２）に比べて小さくすることができ、当該光源装置３２（図７の例では光源装置３２Ａ）の寿命を延ばすことができる。
【００４８】
同様に、残りの光源装置３２の残寿命時間が、更新された切替時間である時間Ｔ２以下となったタイミングＴｍ２にて、１つの光源装置３２の点灯モードが短寿命／高輝度モードから長寿命／低輝度モードに変更される。この際にも、プロジェクター１の姿勢が縦置き姿勢である場合には、光の出射方向が鉛直方向下方である光源装置３２（例えば光源装置３２Ｃ）の点灯モードが優先的に長寿命／低輝度モードに切り替えられる。
また、残りの光源装置３２の残寿命時間が、更に更新された切替時間である時間Ｔ３となったタイミングＴｍ３にて、残りの光源装置３２のうち、１つの光源装置３２（例えば、光源装置３２Ｂ）の点灯モードが長寿命／低輝度モードに切り替えられる。
更に、残りの光源装置３２（例えば、光源装置３２Ｄ）の残寿命時間が、更に更新された切替時間である時間Ｔ４となったタイミングＴｍ４にて、当該光源装置３２の点灯モードが長寿命／低輝度モードに切り替えられる。
これにより、各光源装置３２が有する発光管３２２の寿命を異ならせることができる。従って、上記のように、全ての光源装置３２が同時に寿命を迎えて消灯されることを抑制できる。
【００４９】
以上説明した本実施形態に係るプロジェクター１によれば、以下の効果がある。
制御装置７は、点灯モード設定部７８及び動作制御部７９により、複数の光源装置３２が有する発光管３２２の点灯状態をそれぞれ個別に制御する。これによれば、少なくとも１つの光源装置３２が有する発光管３２２の寿命が、他の光源装置３２が有する発光管３２２の寿命より延びるように、各発光管３２２の点灯状態を制御することができる。従って、各発光管３２２が同時に寿命を迎えて点灯できなくなることを抑制でき、ある１つの発光管３２２が寿命を迎えた場合でも、他の発光管３２２から出射される光によって画像投射を継続できる。
また、このように各発光管３２２の点灯状態を個別に制御できるので、各光源装置３２から出射される光量を調整でき、ひいては、各光源装置３２が同じ点灯状態で点灯される場合に比べて、照明装置３１から光変調装置に照射される光量を細かく調整できる。従って、投射される画像の輝度を細かく調整できる。
【００５０】
動作制御部７９は、点灯モード設定部７８によって設定された点灯モードに応じて、各光源装置３２の発光管３２２の点灯状態を制御する。この点灯モード設定部７８は、プロジェクター１の動作モードが寿命延長モードである場合に、少なくとも１つの光源装置３２の点灯モードを、短寿命／高輝度モードで点灯される場合よりも発光管３２２の寿命が長くなる長寿命／低輝度モードに切り替え、他の光源装置３２の点灯モードを短寿命／高輝度モードとする。これによれば、当該少なくとも１つの光源装置３２が有する発光管３２２の寿命を、他の光源装置３２が有する発光管３２２の寿命より延ばすことができる。従って、各発光管３２２が同時に寿命を迎えることを抑制でき、画像投射を継続できる。
【００５１】
ここで、発光管３２２の寿命は、高輝度点灯される場合に比べて、低輝度点灯させる場合の方が延びる傾向にある。
これに対し、点灯モードが長寿命／低輝度モードである場合には、発光管３２２は低輝度で点灯され、点灯モードが短寿命／高輝度モードである場合には、発光管３２２は高輝度で点灯される。これにより、長寿命／低輝度モードで点灯される発光管３２２の寿命を、短寿命／高輝度モードで点灯される発光管３２２の寿命より確実に延ばすことができる。従って、各発光管３２２が同時に寿命を迎えることを確実に抑制でき、画像投射を確実に継続できる。
なお、点灯モードに応じて発光管３２２を点灯させる点灯回路４１が、各光源装置３２に応じて設けられていることにより、当該各光源装置３２が有する発光管３２２のそれぞれの点灯状態を、確実に個別に制御できる。
【００５２】
発光管３２２に印加される電圧は、当該発光管３２２の劣化状態に応じて変化する。このため、発光管３２２への印加電圧を変更して、発光管３２２の点灯状態を、設定された点灯モードに応じた点灯状態とすることは難しい。
これに対し、各点灯回路４１は、発光管３２２に供給される電力（電流）を変更することにより、発光管３２２を高輝度点灯させる場合と低輝度点灯させる場合とで切り替えることができ、点灯モードに応じて発光管３２２の点灯状態を制御できる。従って、各発光管３２２が同時に寿命を迎えることをより確実に抑制でき、画像投射をより確実に継続できる。
【００５３】
発光管３２２の残寿命時間が所定時間以下となった場合に、複数の光源装置３２のうち少なくとも１つの光源装置３２の点灯モードを長寿命／低輝度モードに設定する。これによれば、残寿命時間が所定時間以下になるまでは、各光源装置３２の点灯モードを短寿命／高輝度モードにすることができ、当該各光源装置３２の発光管３２２を高輝度点灯させることができる。従って、当該各光源装置３２を有する照明装置３１から高い光量を出射できるので、高輝度な画像を投射できる。
【００５４】
外装筐体２の姿勢を検出する姿勢検出装置６による検出結果に基づいて、姿勢判定部７７により、少なくとも１つの光源装置３２からの光の出射方向が鉛直方向下方となる縦置き姿勢となるようにプロジェクター１（外装筐体２）が配置されたと判定された場合、少なくとも１つの光源装置３２の点灯モードを長寿命／低輝度モードに変更する際に、点灯モード設定部７８は、当該光の出射方向が鉛直方向下方となる光源装置３２の点灯モードを優先的に長寿命／低輝度モードに変更する。これによれば、劣化が生じやすい配置の発光管３２２を有する光源装置３２の点灯モードが長寿命／低輝度モードに変更されることにより、当該光源装置３２の劣化を抑制できる。従って、光源装置３２の寿命が想定より短縮されることを抑制できる。
【００５５】
［実施形態の変形］
本発明は、上記実施形態に限定されるものではなく、本発明の目的を達成できる範囲での変形、改良等は本発明に含まれるものである。
上記実施形態では、光源装置３２の点灯モードを長寿命／低輝度モードに切り替える際に、プロジェクター１（外装筐体２）の設置姿勢が、光の出射方向が鉛直方向下向きとなる光源装置３２が存在する姿勢（縦置き姿勢）であれば、当該光源装置３２の点灯モードを優先的に長寿命／低輝度モードに切り替えるとした。この場合、点灯モードの切替タイミングでなくとも、プロジェクター１の姿勢が変更されて、光の出射方向が鉛直方向下向きとなる光源装置３２が変わった場合には、当該光源装置３２を長寿命／低輝度モードとされる光源装置３２とし、代わりに長寿命／低輝度モードに既に切り替えられていた光源装置３２の点灯モードを短寿命／高輝度モードに切り替えてもよい。
なお、光源装置３２の配置は適宜変更可能であり、２つの光源装置３２が互いに向き合う姿勢でなくてもよい。例えば、光の出射方向がそれぞれ平行となるように、各光源装置３２を配置してもよく、光の進行方向が互いに直交するように、各光源装置３２を配置してもよい。
また、少なくとも１つの光源装置３２からの光の出射方向が鉛直方向下向きとなる姿勢は、上記縦置き姿勢に限らず、光源装置３２の配置によって決定されればよい。
【００５６】
上記実施形態では、動作制御部７９は、点灯回路４１によって発光管３２２に供給されるランプ電力を変更することにより、当該発光管３２２を有する光源装置３２の点灯状態を、設定された点灯モードに応じた点灯状態とした。しかしながら、本発明はこれに限らない。例えば、動作制御部７９は、長寿命モードに設定された光源装置３２の発光管３２２に点灯回路４１によって供給されるランプ電力の周波数（ランプ電流の周波数）を、短寿命モードに設定された光源装置３２の発光管に供給されるランプ電力の周波数（ランプ電流の周波数）より下げることにより、対応する光源装置３２の点灯状態を制御してもよい。すなわち、各光源装置３２の寿命を個別に延ばすことができれば、当該光源装置３２の点灯状態の制御は、どのような方法によるものでもよい。
【００５７】
上記実施形態では、上記点灯制御処理において、光源装置３２の点灯モードを１つずつ長寿命／低輝度モードに切り替えた。しかしながら、本発明はこれに限らない。例えば、複数の光源装置３２を、少なくとも１つの光源装置３２が含まれる複数のグループに分け、当該グループ毎に点灯モードの変更及び設定を実施してもよい。例えば、プロジェクター１（外装筐体２）の姿勢が上記縦置き姿勢となった場合に、光の出射方向が鉛直方向下向きとなる光源装置３２が複数存在する場合には、これら光源装置３２（例えば、光源装置３２Ａ，３２Ｃ）の点灯モードを一度に長寿命／低輝度モードに変更してもよい。
【００５８】
上記実施形態では、残寿命時間に応じて、少なくとも１つの光源装置３２の点灯モードを長寿命／低輝度モードに切り替えた。しかしながら、本発明はこれに限らない。例えば、累積点灯時間が所定時間を経過するごとに、複数の光源装置３２のうち、点灯モードが長寿命／低輝度モードに切り替えられる光源装置３２を順次切り替えてもよい。例えば、プロジェクター１の動作モードが寿命延長モードに切り替えられた時点にて、又は、残寿命時間が想定寿命時間の所定割合の時間に達した時点にて、点灯モード設定部７８が、少なくとも１つの光源装置３２の点灯モードを短寿命／高輝度モードから長寿命／低輝度モードに切り替え、当該時点から所定時間が経過するごとに、点灯モードが長寿命／低輝度モードに切り替えられる少なくとも１つの光源装置３２をローテーションさせてもよい。
【００５９】
この場合、点灯モード設定部７８は、光源装置３２Ａ〜３２Ｄのうち、点灯モードを長寿命／低輝度モードとする光源装置３２を、所定時間経過毎に切り替え、他の光源装置３２の点灯モードを短寿命／高輝度モードとする。例えば、点灯モード設定部７８は、点灯モードを長寿命／低輝度モードとする光源装置３２を、光源装置３２Ａ，３２Ｂ，３２Ｃ，３２Ｄの順で、所定時間毎に順次切り替え、当該長寿命／低輝度モードに変更されない光源装置３２の点灯モードを短寿命／高輝度モードとする。この光源装置３２の切り替えの際に、当該所定時間の長さによっては、光源装置３２Ａの点灯モードを長寿命／低輝度モードに再度切り替えてもよい。
【００６０】
また、電源のＯＮ／ＯＦＦのタイミングにて、点灯モードが長寿命／低輝度モードとなる光源装置３２を変更してもよい。このような構成によれば、プロジェクター１の１回の使用時間に応じて、光源装置３２毎に、点灯モードが長寿命／低輝度モードとなっている期間にばらつきを生じさせることができるので、各光源装置３２の残寿命時間にばらつきを生じさせることができる。従って、各光源装置３２が同時に寿命を迎えて消灯されることを抑制できる。
更に、このような切り替えを行う場合でも、光の出射方向が鉛直方向下向きとなる光源装置３２の点灯モードを優先的に長寿命／低輝度モードとしてもよい。
【００６１】
上記実施形態では、想定寿命時間及び累積点灯時間に基づく残寿命時間に応じて、光源装置３２Ａ〜３２Ｄの点灯モードを変更した。しかしながら、本発明はこれに限らない。
例えば、時間判定部７５が、各光源装置３２の累積点灯時間が所定時間に達したか否か、或いは、残寿命時間が他の所定時間以下になったか否かを光源装置３２毎に個別に判定し、累積点灯時間が当該所定時間に達した場合、或いは、残寿命時間が当該他の所定時間以下となった場合に、対応する光源装置３２の点灯モードを短寿命／高輝度モードから長寿命／低輝度モードに切り替えてもよい。
【００６２】
また例えば、照明装置３１からの出射光の輝度を検出する輝度センサーの検出結果に基づいて、各光源装置３２の点灯モードを変更してもよい。例えば、出射光の輝度が低下してきた場合には、短寿命／高輝度モードで現在点灯している光源装置３２の発光管３２２が劣化してきたことが想定されるので、このような場合には、当該短寿命／高輝度モードで点灯している光源装置３２の点灯モードを長寿命／低輝度モードに変更し、長寿命／低輝度モードで点灯している光源装置３２の点灯モードを短寿命／高輝度モードに切り替えてもよい。この場合に採用される輝度センサーは、照明装置３１から出射される光の輝度を検出できれば、画像形成装置３を構成する光学部品を内部に収納する光学部品用筐体内に設けられてもよく、被投射面上に投射された画像の輝度を検出可能な位置に配置されていてもよい。後者の場合、投射画像の形状や、電子ペンや指示棒を用いた使用者による指示位置を検出する撮像装置を利用してもよい。
また、発光管３２２に供給される電圧（電極間電圧）の変化に応じて当該発光管３２２の劣化状態を判断し、劣化度合いが大きいと判断された発光管３２２を有する光源装置３２の点灯モードを長寿命／低輝度モードとし、劣化度合いが小さいと判断される発光管３２２を有する光源装置３２の点灯モードを短寿命／高輝度モードとしてもよい。
【００６３】
上記実施形態では、プロジェクター１の動作モードが寿命延長モードに切り替えられた際に、点灯モード設定部７８が自動的に各光源装置３２の点灯モードを設定し、動作制御部７９が、設定された点灯モードに基づいて点灯回路４１によって光源装置３２の点灯状態を制御するとした。しかしながら、本発明はこれに限らない。例えば、使用者が、各光源装置３２の点灯モードを設定し、設定された点灯モードに基づいて、動作制御部７９が、対応する光源装置３２の点灯状態を制御してもよい。
この場合、例えば、使用者の入力操作に応じて、ＯＳＤ画面等により各光源装置３２の残寿命時間が表示され、更に他の入力操作に応じて、各光源装置３２の点灯モードを使用者が切替可能なメニュー画面が表示されてもよい。そして、当該メニュー画面に対する使用者の設定操作に基づいて、点灯モード設定部７８が各光源装置３２の点灯モードを設定してもよい。
【００６４】
上記実施形態では、光源装置３２（発光管３２２）の点灯モードとして、長寿命／低輝度モード及び短寿命／高輝度モードを例示した。しかしながら、本発明はこれに限らない。例えば、これらの中間の寿命及び輝度となる中寿命／中輝度モードが含まれていてもよい。すなわち、点灯モードは、２つに限らず、より多くの点灯モードがあってもよい。
上記実施形態では、プロジェクター１の動作モードとして上記３つの動作モードを例示した。しかしながら、本発明はこれに限らない。例えば、プロジェクター１の動作モードとしては、上記３つの動作モードに加えて、或いは、これら動作モードに代えて、他の動作モードが含まれていてもよい。更に、上記動作モードが寿命延長モードのみのプロジェクターを構成してもよい。すなわち、複数の発光管毎に点灯状態を制御できればよい。
【００６５】
上記実施形態では、センサーを有する姿勢検出装置６による検出結果に基づいて、姿勢判定部７７が、プロジェクター１（外装筐体２）の姿勢を判定した。しかしながら、本発明はこれに限らない。すなわち、プロジェクター１の姿勢を検出可能であれば、姿勢検出装置６の構成は上記に限らない。例えば、姿勢検出装置６は、外装筐体２に設けられ、プロジェクター１の姿勢に応じて押下又は押圧されるボタンやセンサーを含む構成としてもよい。また、光の出射方向が下向きとなる光源装置３２が存在する姿勢で使用可能にプロジェクター１が構成され、当該姿勢に応じた収納体３２６を有する光源装置３２が装着される場合、姿勢検出装置６を、当該光源装置３２の装着を検出可能な構成としてもよい。この場合、装着されている光源装置３２に、当該姿勢に応じた収納体３２６を有する光源装置３２が含まれる場合には、上記点灯モード設定部７８が、光の出射方向が鉛直方向下向きとなる光源装置３２の点灯モードを優先的に長寿命／低輝度モードに切り替えてもよい。
【００６６】
上記実施形態では、照明装置３１は、それぞれ発光管３２２を有する光源装置３２を４つ備えるとした。しかしながら、本発明はこれに限らない。すなわち、光源装置３２の数は、２以上であれば適宜変更可能である。また、各光源装置３２の発光管３２２にランプ電力を個別に供給可能であれば、点灯回路４１の数も適宜変更可能である。
【符号の説明】
【００６７】
１…プロジェクター、２…外装筐体、３１…照明装置、３２（３２Ａ〜３２Ｄ）…光源装置、３２２…発光管、３２２１…発光部、３２２２…封止部、３２４…反射鏡、３４…光変調装置、３５…投射光学装置、４１（４１Ａ〜４１Ｄ）…点灯回路、６…姿勢検出装置、７…制御装置、７４…残寿命算出部、７７…姿勢判定部、７８…点灯モード設定部、７９…動作制御部。
【図１】
2016167015.tif 000003
【図２】
2016167015.tif 000004
【図３】
2016167015.tif 000005
【図４】
2016167015.tif 000006
【図５】
2016167015.tif 000007
【図６】
2016167015.tif 000008
【図７】
2016167015.tif 000009